(57)【要約】【課題】  電柱への負荷を軽減でき、かつ、長期の敷設にも耐えることが可能な光ケーブルを提供する。【解決手段】  光ファイバ心線２１をスロット３の収容溝３ａに収容し、光ファイバ心線２１とスロット３とを高強度の内側繊維体４で覆って、内側シース５で被覆する。さらに、高強度の外側繊維体６で覆って、外側シース７で被覆する。このような光ケーブル１をＴ字分岐させる場合、外側シース７を切り裂いて外側繊維体６とともに内側シース５から剥離し、外側シース７と外側繊維体６を吊線とする。【選択図】  図１
2012063665.tif 000002
【特許請求の範囲】
【請求項１】
光ファイバ心線がスロットの収容溝に収容され、前記光ファイバ心線とスロットとが第１の保護部材によって被覆され、前記第１の保護部材を覆う第２の保護部材が前記第１の保護部材から剥離可能に配設されている、ことを特徴とする光ケーブル。
【請求項２】
前記第１の保護部材と第２の保護部材との間に、高強度の繊維部材が前記第１の保護部材から剥離可能に配設されている、ことを特徴とする請求項１に記載の光ケーブル。
【請求項３】
前記スロットと第１の保護部材との間に、高強度の繊維部材が配設されている、ことを特徴とする請求項１または２のいずれか１項に記載の光ケーブル。
【発明の詳細な説明】
【技術分野】
【０００１】
この発明は、光ケーブルに関し、特に、被覆が二重に設けられている二重被覆構造の光ケーブルに関する。
【背景技術】
【０００２】
光ケーブルを架空敷設する場合、例えば、直径約１３ｍｍ以上の光ケーブルを直径６ｍｍ以上の吊線で支持して、敷設している。この場合、光ケーブルと吊線による自重や風力などの負荷が電柱にかかるため、電柱の強度によっては、このような負荷に耐えられない場合が生じる。そして、このような場合には、細くて（例えば、６ｍｍ×２ｍｍ）軽い光ドロップケーブル（例えば、特許文献１参照。）を、吊線で支持しないで敷設することで、電柱への負荷を軽減している。
【先行技術文献】
【特許文献】
【０００３】
【特許文献１】特開２００４−１１７８６７号公報
【発明の概要】
【発明が解決しようとする課題】
【０００４】
しかしながら、光ドロップケーブルを吊線で支持しないで単体で敷設する場合、光ドロップケーブル単体では強度が低く、耐久性に劣るため、長期の敷設、使用には適さない。つまり、長期の敷設、使用によって、光ドロップケーブル（光ファイバ心線）が劣化するおそれがある。
【０００５】
そこでこの発明は、電柱への負荷を軽減でき、かつ、長期の敷設にも耐えることが可能な光ケーブルを提供することを目的とする。
【課題を解決するための手段】
【０００６】
上記目的を達成するために請求項１に記載の発明は、光ファイバ心線がスロットの収容溝に収容され、前記光ファイバ心線とスロットとが第１の保護部材によって被覆され、前記第１の保護部材を覆う第２の保護部材が前記第１の保護部材から剥離可能に配設されている、ことを特徴とする光ケーブルである。
【０００７】
この発明によれば、第２の保護部材を第１の保護部材から切り剥がし、第２の保護部材を吊線として電柱などに架設することで、第１の保護部材以下の光ケーブルがＴ字状などに分岐される。
【０００８】
請求項２に記載の発明は、請求項１に記載の光ケーブルにおいて、前記第１の保護部材と第２の保護部材との間に、高強度の繊維部材が前記第１の保護部材から剥離可能に配設されている、ことを特徴とする。
【０００９】
請求項３に記載の発明は、請求項１または２に記載の光ケーブルにおいて、前記スロットと第１の保護部材との間に、高強度の繊維部材が配設されている、ことを特徴とする。
【発明の効果】
【００１０】
請求項１に記載の発明によれば、光ファイバ心線が第１の保護部材と第２の保護部材とによって二重に保護されているため、外部からの傷害などにより耐えられ、また、第２の保護部材を吊線として第１の保護部材以下の光ケーブルを支持することで、長期の敷設にも耐えることが可能となる。さらに、電柱の強度などに応じて収容する光ファイバ心線数を調整することで、電柱への負荷を軽減できる。
【００１１】
請求項２に記載の発明によれば、高強度の繊維部材を第２の保護部材と一緒に第１の保護部材から切り離し、第２の保護部材とともに吊線として使用することで、第１の保護部材以下の光ケーブルをより強固に支持することができる。
【００１２】
請求項３に記載の発明によれば、スロットと第１の保護部材との間に高強度の繊維部材が配設されているため、第１の保護部材以下の光ケーブルの強度が高まり、より長期の敷設に耐えることが可能となる。
【図面の簡単な説明】
【００１３】
【図１】この発明の実施の形態に係る光ケーブルの軸に垂直な断面を示す図である。
【図２】図１の光ケーブルをＴ字分岐させて架空敷設した状態を示す図である。
【発明を実施するための形態】
【００１４】
以下、この発明を図示の実施の形態に基づいて説明する。
【００１５】
図１は、この発明の実施の形態に係る光ケーブル１の断面構造を示す図である。この光ケーブル１は、主として、２つのテープ心線２と、スロット３と、内側繊維体（繊維部材）４と、内側シース（第１の保護部材）５と、外側繊維体（繊維部材）６と、外側シース（第２の保護部材）７と、から構成されている。
【００１６】
各テープ心線２は、２つの光ファイバ心線２１を並行に配置してテープで結束したものである。ここで、光ファイバ心線２１の数は、光ケーブル１を配設する電柱の強度、光ケーブル１の外径仕様などにより決定し、この実施の形態では、電柱への負荷軽減、光ケーブル１の小径化、軽量化のために、直径約１３ｍｍ以上の従来の丸型光ケーブルの心線数よりも少ない、２本としている。
【００１７】
スロット３は、熱可塑性樹脂で構成された断面が略円形の線材で、中心部に軸方向に延びるテンションメンバ（抗張力線）が配設されている。また、外周部には、軸方向に延びる凹状の収容溝３ａが互いに対向して２つ形成され、各収容溝３ａにテープ心線２（光ファイバ心線２１）が収容されている。
【００１８】
内側繊維体４は、アラミド繊維（例えば、ポリパラフェニレンテレフタルアミド）などの高強度・高比強度の繊維を網状に編んで構成され、テープ心線２とスロット３の外周を隙間なく覆うように配設されている。このように、網状に構成されていることで、内側繊維体４の強度が強く、かつ厚みが薄くなっている。
【００１９】
内側シース５は、難燃ポリエチレンなどの難燃性樹脂で構成され、内側繊維体４（光ファイバ心線２１とスロット３）の外周を被覆している。外側繊維体６は、内側繊維体４と同様に高強度・高比強度の繊維を網状に編んで構成され、内側シース５の外周を隙間なく覆うように配設されている。また、この外側繊維体６は、内側シース５から剥離可能となっており、外側繊維体６の剥離によって外側シース７が内側シース５から剥離可能となっている。
【００２０】
外側シース７は、内側シース５と同様に難燃性樹脂で構成され、外側繊維体６（内側シース５）の外周を被覆している。このように光ケーブル１は、中心（内側）から順にテープ心線２とスロット３、内側繊維体４、内側シース５、外側繊維体６、外側シース７の積層構造をしており、その外形（断面）が円形となっている。
【００２１】
次に、このような構成の光ケーブル１の作用および、この光ケーブル１の敷設方法について説明する。
【００２２】
まず、光ケーブル１を架空敷設するには、光ケーブル１を順次電柱でクランプ（把持）しながら、敷設していく。また、光ファイバ心線２１を需要家宅に引き込む場合には、図２に示すように、光ケーブル１をＴ字状に分岐させて需要家宅ＣのＯＮＵ（Ｏｐｔｉｃａｌ  Ｎｅｔｗｏｒｋ  Ｕｎｉｔ）２００に接続する。すなわち、まず、カッタなどで外側シース７を切り裂き、外側繊維体６を解きほぐしながら外側シース７と外側繊維体６とを内側シース５から剥離する。ここで、外側シース７と外側繊維体６を吊線１Ａとし、テープ心線２から内側シース５をケーブル本線１Ｂとする。次に、例えば、光ケーブル１を第１の電柱１００でクランプし、吊線１Ａを第２の電柱１０１でクランプして、ケーブル本線１Ｂを支持する。そして、ケーブル本線１Ｂを需要家宅Ｃまで引き込んでクランプし、光ファイバ心線２１をＯＮＵ２００に接続するものである。
【００２３】
以上のように、この光ケーブル１によれば、光ファイバ心線２１が二重のシース５、７と高強度の繊維体４、６とによって保護されているため、外部からの傷害などにより耐えられ、光ケーブル１自体の強度も高まる。また、外側シース７と外側繊維体６とを剥離して吊線１Ａとすることで、光ケーブル１単体でＴ字分岐することができ、しかも、吊線１Ａでケーブル本線１Ｂを支持することで、長期の敷設にも耐えることが可能となる。このとき、カッタなどで外側シース７を切り裂いても、外側繊維体６によって内側シース５への損傷が防止され、さらに、外側シース７と高強度の外側繊維体６とを吊線１Ａとして使用するため、ケーブル本線１Ｂをより強固に支持することができる。しかも、別途吊線を敷設する必要がないため、費用を削減することができる。
【００２４】
また、ケーブル本線１Ｂには、スロット３と内側シース５との間に高強度の内側繊維体４が配設されているため、ケーブル本線１Ｂの強度が高まり、長期の敷設により耐えることが可能となる。さらに、ケーブル本線１Ｂには、その中心にスロット３が配設されているため、曲げに強く耐えることができる。一方、電柱１００、１０１の強度などに応じて光ファイバ心線２１の数が調整されているため、電柱１００、１０１への負荷が軽減される。
【００２５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、高強度の繊維を網状に編んで外側繊維体６を構成しているが、高強度の繊維を光ケーブル１の軸方向に沿って真っ直ぐに配設してもよい。これにより、外側シース７を切り裂いて外側シース７と外側繊維体６とを内側シース５から剥離する際に、外側繊維体６を解きほぐす必要がなくなり、作業性が向上する。また、内側繊維体４と内側シース５や、外側繊維体６と外側シース７を一体にしてもよい。
【符号の説明】
【００２６】
１        光ケーブル
２        テープ心線
２１      光ファイバ心線
３        スロット
３ａ      収容溝
４        内側繊維体（繊維部材）
５        内側シース（第１の保護部材）
６        外側繊維体（繊維部材）
７        外側シース（第２の保護部材）
１Ａ      吊線
１Ｂ      ケーブル本線
【図１】
2012063665.tif 000003
【図２】
2012063665.tif 000004